(57)【要約】【課題】頻繁に送信されるシグナリングメッセージのオーバーヘッドを低減するための方法及び装置を提供する。【解決手段】メッセージの前部にある情報または以前のシグナリングメッセージにある情報から変化されない情報をいずれも送信することなく搬送し易くする種種の方法がある。一形態において上記方法は、複数のフィールドを連結してシグナリングメッセージを生成するステップと、前記シグナリングメッセージを送信するステップと、を含み、複数のフィールドのうち少なくとも２つのフィールドは類似する情報を伝達し、前記少なくとも２つのフィールドのうち第１のフィールドは情報を含み、少なくとも２つのフィールドのうち第２のフィールドはフラグを含み、前記フラグは、少なくとも２つのフィールドのうち第２のフィールドの値が少なくとも２つのフィールドのうち第１のフィールドの情報と同じである旨を示すことを特徴とする。
2009515414.tif 000002
【特許請求の範囲】
【請求項１】
多数搬送波移動通信システムにおいてシグナリング情報を提供する方法において、
複数のフィールドを連結してシグナリングメッセージを生成するステップと、
前記シグナリングメッセージを送信するステップと、を含み、
前記複数のフィールドのうち少なくとも２つのフィールドは類似する情報を伝達し、前記少なくとも２つのフィールドのうち第１のフィールドは情報を含み、前記少なくとも２つのフィールドのうち第２のフィールドはフラグを含み、前記フラグは、前記少なくとも２つのフィールドのうち第２のフィールドの値が前記少なくとも２つのフィールドのうち第１のフィールドの情報と同じである旨を示すことを特徴とする方法。
【請求項２】
前記シグナリングメッセージは、トラフィックチャンネル割当てメッセージであることを特徴とする請求項１に記載の方法。
【請求項３】
前記少なくとも２つのフィールドのうち第２のフィールドは、複数の連続連結されたフィールドの値がその以前の複数の連続連結されたフィールドの値に貯蔵されている情報と同じであることを特徴とする請求項１に記載の方法。
【請求項４】
移動通信システムにおいてシグナリング情報を提供する方法において、
複数の連結されたフィールドを含むシグナリングメッセージを受信するステップと、
前記複数のフィールドのうち少なくとも一つのフィールドが、前記フィールドの値が以前のフィールドにおける情報と同じである旨を示すフラグを含んでいるかどうかを判定するステップと、
前記複数のフィールドのうち少なくとも一つのフィールドの前記値を前記以前のフィールドの情報に設定するステップと、
を含むことを特徴とする方法。
【請求項５】
前記シグナリングメッセージは、トラフィックチャンネル割当てメッセージであることを特徴とする請求項４に記載の方法。
【請求項６】
複数の連続連結されたフィールドの値がその以前の複数の連続連結されたフィールドの情報と同じである旨を前記フラグが示すかどうかを判定するステップと、
前記複数の連続連結されたフィールドの値を前記その以前の複数の連続連結されたフィールドの情報に設定するステップと、
をさらに含むことを特徴とする請求項４に記載の方法。
【請求項７】
移動通信システムにおいてシグナリング情報を提供する方法において、
少なくとも一つのフィールドをそれぞれ含む第１のシグナリングメッセージ及び第２のシグナリングメッセージを生成するステップと、
前記第１のシグナリングメッセージ及び前記第２のシグナリングメッセージを送信するステップと、を含み、
前記第２のシグナリングメッセージの少なくとも一つのフィールドは、その値が対応する前記第１のシグナリングメッセージの少なくとも一つのフィールドの情報と同じである旨を示すフラグを含んで、前記第２のシグナリングメッセージが前記第１のシグナリングメッセージよりも短いことを特徴とする方法。
【請求項８】
前記第２のシグナリングメッセージの少なくとも一つのフィールドは、前記第２のシグナリングメッセージの複数の連続連結されたフィールドの値が対応する前記第１のシグナリングメッセージの複数の連続連結されたフィールドの情報と同じである旨を示すフラグを含むことを特徴とする請求項７に記載の方法。
【請求項９】
前記第１のシグナリングメッセージ及び前記第２のシグナリングメッセージはそれぞれ漸増的なメッセージ一連番号をさらに含み、前記第２のシグナリングメッセージの一連番号は前記第１のシグナリングメッセージの一連番号から漸増することを特徴とする請求項７に記載の方法。
【請求項１０】
前記第２のシグナリングメッセージが受信されていないと判定されれば、前記第２のシグナリングメッセージを再送信するステップをさらに含み、前記再送信された第２のシグナリングメッセージの一連番号は変化されないことを特徴とする請求項９に記載の方法。
【請求項１１】
前記第１のシグナリングメッセージの少なくとも一つのフィールドの値が前記第２のシグナリングメッセージ送信後にも適用可能であるかどうかを判定するステップをさらに含むことを特徴とする請求項９に記載の方法。
【請求項１２】
少なくとも第３のシグナリングメッセージを生成するステップ−前記第３のシグナリングメッセージは少なくとも一つのフィールドを含み、前記少なくとも一つのフィールドは前記少なくとも一つのフィールドの値が対応する前記第１のシグナリングメッセージの少なくとも一つのフィールドの情報と同じである旨を示すフラグを含んで、前記第３のシグナリングメッセージが前記第１のシグナリングメッセージよりも短い−と、
前記少なくとも第３のシグナリングメッセージを送信するステップと、
をさらに含むことを特徴とする請求項１１に記載の方法。
【請求項１３】
前記第１のシグナリングメッセージ及び前記第２のシグナリングメッセージは、それぞれメッセージ識別フィールドをさらに含むことを特徴とする請求項７に記載の方法。
【請求項１４】
前記第１のシグナリングメッセージ及び前記第２のシグナリングメッセージのメッセージ識別フィールドは同じであることを特徴とする請求項１３に記載の方法。
【請求項１５】
前記第１のシグナリングメッセージ及び前記第２のシグナリングメッセージのメッセージ識別フィールドは異なることを特徴とする請求項１３に記載の方法。
【請求項１６】
移動通信システムにおいてシグナリング情報を提供する方法において（メッセージ間の異なる情報／受信方法）、
それぞれ少なくとも一つのフィールドを含む第１のシグナリングメッセージ及び第２のシグナリングメッセージを受信するステップと、
前記第２のシグナリングメッセージの少なくとも一つのフィールドが、その値が対応する前記第１のシグナリングメッセージの少なくとも一つのフィールドの値の情報と同じである旨を示すフラグを含んでいるかどうかを判定するステップと、
前記第２のシグナリングメッセージの少なくとも一つのフィールドの値を対応する前記第１のシグナリングメッセージの少なくとも一つのフィールドの情報に設定するステップと、
を含むことを特徴とする方法。
【請求項１７】
前記第２のシグナリングメッセージの少なくとも一つのフィールドが、前記第２のシグナリングメッセージの複数の連続連結されたフィールドの値が対応する前記第１のシグナリングメッセージの複数の連続連結されたフィールドの情報と同じである旨を示すフラグを含んでいるかどうかを判定するステップと、
前記第２のシグナリングメッセージの複数の連続連結されたフィールドの値を対応する前記第１のシグナリングメッセージの複数の連続連結されたフィールドの情報に設定するステップ（１つのフィールドのフラグは、１以上のフィールドの省略を可能にする）と、
をさらに含むことを特徴とする請求項１６に記載の方法。
【請求項１８】
移動通信システムにおいてシグナリング情報を提供する方法において（頻繁に使用されない特徴／送信方法）、
特定の特徴が活性化されるかどうかを示すフラグを含む少なくとも一つのフィールドを含むシグナリングメッセージを生成するステップと、
前記シグナリングメッセージを送信するステップと、を含み、
前記フラグが前記特定の特徴が活性化されている旨を示す場合、前記シグナリングメッセージは前記特定の特徴と関連する少なくとも一つの追加フィールドを含み、前記フラグが前記特定の特徴が活性化されていない旨を示す場合、前記シグナリングメッセージは前記特定の特徴と関連する追加フィールドを含んでおらず、前記特定の特徴が活性化されなければ、前記シグナリングメッセージがより短くなることを特徴とする方法。
【請求項１９】
移動通信システムにおいてシグナリング情報を提供する方法において（頻繁に使用されない特徴／受信方法）、
特定の特徴が活性化されるかどうかを示すフラグを含む少なくとも一つのフィールドを含むシグナリングメッセージを生成するステップと、
前記特定の特徴が活性化されなければ、前記シグナリングメッセージからより少ないフィールドが抽出されるように、前記フラグが前記特定の特徴が活性化されている旨を示す場合、前記メッセージから前記特定の特徴と関連する少なくとも一つの追加フィールドを抽出し、前記フラグが前記特定の特徴が活性化されていない旨を示す場合、前記特定の特徴と関連する追加フィールドを抽出しないステップと、
を含むことを特徴とする方法。
【請求項２０】
移動端末において、
シグナリングメッセージを送信及び受信する送受信部と、
ユーザーインタフェース情報を表示する表示部と、
ユーザーデータを入力する入力部と、
シグナリングメッセージを生成し、前記送受信部がシグナリングメッセージを送信することを制御する処理部と、を備え、
前記シグナリングメッセージは複数のフィールドを連結して生成され、前記複数のフィールドのうち少なくとも２つのフィールドは類似する情報を伝達し、前記少なくとも２つのフィールドのうち第１のフィールドは情報を含み、前記少なくとも２つのフィールドのうち第２のフィールドはフラグを含み、前記フラグは前記少なくとも２つのフィールドのうち前記第２のフィールドの値が前記少なくとも２つのフィールドのうち前記第１のフィールドの情報と同じである旨を示すことを特徴とする移動端末。
【請求項２１】
前記少なくとも２つのフィールドのうち第２のフィールドは、複数の連続連結されたフィールドの値がその以前の複数の連続連結されたフィールドの情報と同じである旨を示すフィールドを含むことを特徴とする請求項２０に記載の移動端末。
【請求項２２】
前記処理部は、
複数の連結されたフィールドを含むシグナリングメッセージを受信し、
前記複数のフィールドのうち少なくとも一つのフィールドが、そのフィールドの値が以前のフィールドの情報と同じである旨を示すフラグを含んでいるかどうかを判定し、
前記複数のフィールドのうち少なくとも一つのフィールドの値を前記以前のフィールドの情報に設定することを特徴とする請求項２０に記載の移動端末。
【請求項２３】
前記シグナリングメッセージは、トラフィックチャンネル割当てメッセージであることを特徴とする請求項２２に記載の移動端末。
【請求項２４】
前記処理部は、
前記フラグが複数の連続連結されたフィールドの値が、その以前の複数の連続連結されたフィールドの情報と同じである旨を示すかどうかを判定し、
前記複数の連続連結されたフィールドの値を前記その以前の複数の連続連結されたフィールドの情報に設定することを特徴とする請求項２０に記載の移動端末。
【請求項２５】
前記処理部は、
少なくとも一つのフィールドを含む第１のシグナリングメッセージを生成して送信し、
少なくとも一つのフィールドを含む第２のシグナリングメッセージを生成して送信し、
前記第２のシグナリングメッセージの少なくとも一つのフィールドは、前記第２のシグナリングメッセージの少なくとも一つのフィールドの値が対応する第１のシグナリングメッセージの少なくとも一つのフィールドの情報と同じである旨を示すフラグを含んで、前記第２のシグナリングメッセージが前記第１のシグナリングメッセージよりも短くなることを特徴とする請求項２０に記載の移動端末。
【請求項２６】
前記第２のシグナリングメッセージの少なくとも一つのフィールドは、前記第２のシグナリングメッセージの複数の連続連結されたフィールドの値が対応する前記第１のシグナリングメッセージの複数の連続連結されたフィールドの情報と同じである旨を示すフラグを含むことを特徴とする請求項２５に記載の移動端末。
【請求項２７】
前記処理部は、前記第１のシグナリングメッセージ及び前記第２のシグナリングメッセージに漸増的なメッセージ一連番号を含めて、前記第２のシグナリングメッセージの一連番号が前記第１のシグナリングメッセージの一連番号から漸増することを特徴とする請求項２５に記載の移動端末。
【請求項２８】
前記処理部は、前記第２のシグナリングメッセージが受信されていないと判定される場合に前記第２のシグナリングメッセージを再送信し、前記再送信された第２のシグナリングメッセージの一連番号は変化されずに維持されることを特徴とする請求項２７に記載の移動端末。
【請求項２９】
前記処理部は、前記第１のシグナリングメッセージの少なくとも一つのフィールドの値が前記第２のシグナリングメッセージ送信後にも適用可能であるかどうかを判定することを特徴とする請求項２７に記載の移動端末。
【請求項３０】
前記処理部は少なくとも第３のシグナリングメッセージを生成して送信し、前記第３のシグナリングメッセージは少なくとも一つのフィールドを含み、前記少なくとも一つのフィールドはその値が対応する前記第１のシグナリングメッセージの少なくとも一つのフィールドの情報と同じである旨を示すフラグを含んで、前記第３のシグナリングメッセージは前記第１のシグナリングメッセージよりも短いことを特徴とする請求項２９に記載の移動端末。
【請求項３１】
前記第１のシグナリングメッセージ及び前記第２のシグナリングメッセージは、それぞれメッセージ識別フィールドをさらに含むことを特徴とする請求項２５に記載の移動端末。
【請求項３２】
前記第１のシグナリングメッセージ及び前記第２のシグナリングメッセージの前記メッセージ識別フィールドは同じであることを特徴とする請求項３１に記載の移動端末。
【請求項３３】
前記第１のシグナリングメッセージ及び前記第２のシグナリングメッセージの前記メッセージ識別フィールドは異なることを特徴とする請求項３１に記載の移動端末。
【請求項３４】
前記処理部は、
それぞれ少なくとも一つのフィールドを含む第１のシグナリングメッセージ及び第２のシグナリングメッセージを受信し、
前記第２のシグナリングメッセージの少なくとも一つのフィールドが、前記第２のシグナリングメッセージの少なくとも一つのフィールドの値が対応する前記第１のシグナリングメッセージの少なくとも一つのフィールドの情報と同じである旨を示すフラグを含んでいるかどうかを判定し、
前記第２のシグナリングメッセージの前記少なくとも一つのフィールドの値を前記対応する第１のシグナリングメッセージの少なくとも一つのフィールドの情報に設定することを特徴とする請求項２０に記載の移動端末。
【請求項３５】
前記第２のシグナリングメッセージの前記少なくとも一つのフィールドが、前記第２のシグナリングメッセージの複数の連続連結されたフィールドの値が対応する前記第１のシグナリングメッセージの複数の連続連結されたフィールドの情報と同じである旨を示すフラグを含んでいるかどうかを判定し、
前記第２のシグナリングメッセージの前記複数の連続連結されたフィールドの値を前記対応する第１のシグナリングメッセージの複数の連続連結されたフィールドの情報に設定することを特徴とする請求項３４に記載の移動端末。
【請求項３６】
前記処理部は、
少なくとも一つのフィールドを含むシグナリングメッセージを生成して送信し、前記少なくとも一つのフィールドは特定の特徴が活性化されるかどうかを示すフラグを含み、
前記シグナリングメッセージは、前記フラグが前記特定の特徴が活性化されている旨を示す場合、前記特定の特徴と関連する少なくとも一つの追加フィールドを含み、前記フラグが前記特定の特徴が活性化されていない旨を示す場合、前記特定の特徴と関連する追加フィールドを含んでおらず、前記特定の特徴が活性化されない場合に前記シグナリングメッセージがより短くなることを特徴とする請求項２０に記載の移動端末。
【請求項３７】
前記処理部は、
特定の特徴が活性化されるかどうかを示すフラグを含む少なくとも一つのフィールドを含むシグナリングメッセージを受信し、
前記フラグが前記特徴が活性化されている旨を示す場合に前記メッセージから前記特定の特徴と関連する少なくとも一つの追加フィールドを抽出し、前記フラグが前記特徴が活性化されていない旨を示す場合に前記シグナリングメッセージから前記特定の特徴と関連する追加フィールドを抽出せず、前記特定の特徴が活性化されていない場合に前記シグナリングメッセージからより少ないフィールドが抽出されるようにすることを特徴とする請求項２０に記載の移動端末。
【発明の詳細な説明】
【技術分野】
【０００１】
本発明は頻繁に送信されるシグナリングメッセージのオーバーヘッドを低減するための方法及び装置に関する。
【背景技術】
【０００２】
セルラー電話通信の分野において、当業者は１Ｇ、２Ｇ及び３Ｇという用語を頻繁に使用する。かような用語は使用されたセルラー技術の世代を指し示すものであって、１Ｇは第１世代を示し、２Ｇは第２世代を示し、そして３Ｇは第３世代を示す。
【０００３】
第１世代とは、ＡＭＰＳ（Ａｄｖａｎｃｅｄ ＭｏｂｉｌｅＰｈｏｎｅ Ｓｅｒｖｉｃｅ）電話システムとして知られているアナログ電話システムを言うものである。第２世代とは、一般に全世界的に広く普及されているデジタルセルラーシステムを言うものであって、ＣＤＭＡ、ＧＳＭ（ＧｌｏｂａｌＳｙｓｔｅｍ ｆｏｒ Ｍｏｂｉｌｅ ｃｏｍｍｕｎｉｃａｔｉｏｎｓ）及びＴＤＭＡ（Ｔｉｍｅ Ｄｉｖｉｓｉｏｎ Ｍｕｌｔｉｐｌｅ Ａｃｃｅｓｓ）を含む。第２世代は、第１世代システムに比べて、密集領域においてはるかに多数のユーザーに対応することができる。
【０００４】
第３世代とは、一般に現在採用されているデジタルセルラーシステムを言うものである。これらの第３世代通信システムは、いくつかの重要な違いを除いては、互いに概念的に類似している。
【０００５】
図１に無線通信ネットワークアーキテクチャー１が示してある。加入者は移動局（ＭＳ）２を用いてネットワークサービスにアクセスする。ＭＳ２は、携帯型セルラー電話、車両用の通信ユニットなどの移動型通信ユニットであっても、固定位置型通信ユニットであってもよい。
【０００６】
ＭＳ２に対する電磁気波は、ノードＢと知られている既知の受信システム（ＢＴＳ）３により送信される。ＢＴＳ３は、無線波を送受信するためのアンテナと設備などの無線デバイスを含む。ＢＳ６コントローラ（ＢＳＣ）４は、１以上のＢＴＳ’ｓからの送信を受信する。ＢＳＣ４は、当該ＢＴＳ及び移動スイッチングセンター（ＭＳＣ）５または内部ＩＰネットワークとメッセージを送受することにより各ＢＴＳ３からの無線送信を制御して管理する。ＢＴＳ３及びＢＳＣ４はＢＳ６を構成する要素である。
【０００７】
ＢＳ６は回路交換コアネットワーク（ＣＳＣＮ）７及びパケット交換コアネットワーク）ＰＳＣＮ）８とメッセージを交換し、これらにデータを送信する。ＣＳＣＮ７は伝統的な音声通信を提供し、ＰＳＣＮ８はインターネットアップリケーションとマルチメディアサービスを提供する。
【０００８】
ＣＳＣＮ７の移動スイッチングセンター（ＭＳＣ）５の部分は、ＭＳ２との伝統的な音声通信をスイッチングし、これらの機能を支援する情報を貯蔵する。ＭＳＣ２は１以上のＢＳ６だけではなく、例えば、公衆交換電話網（ＰＳＴＮ）（図示せず）または統合サービスデジタルネットワーク（ＩＳＤＮ）（図示せず）などの他の公衆網にも接続される。ＶＬＲ（ＶｉｓｉｔｏｒＬｏｃａｔｉｏｎ Ｒｅｇｉｓｔｅｒ）９は訪問加入者との音声通信を取り扱うための情報を検索するのに使用される。ＶＬＲ９は、ＭＳＣ５の内部にあってもよく、１以上のＭＳＣを支援することができる。
【０００９】
例えば、電子一連番号（ＥＳＮ）、移動ディレクトリー番号（ＭＤＲ）、プロフィール情報、現在の位置及び認証期間などの加入者情報記録目的のユーザーＩＤは、ＣＳＣＮ７のＨＬＲ（ＨｏｍｅＬｏｃａｔｉｏｎ Ｒｅｇｉｓｔｅｒ）１０に割り当てられる。認証センター（ＡＣ）１１は、ＭＳ２と関連する認証情報を管理する。ＡＣ１１はＨＬＲ１０の内部にあってもよく、１以上のＨＬＲを支援することができる。ＭＳＣ５とＨＬＲ／ＡＣ１０、１１との間のインタフェースはＩＳ−４１規格のインタフェース１８である。
【００１０】
ＰＳＣＮ８のＰＤＳＮ（Ｐａｃｋｅｔ Ｄａｔａ ＳｅｒｖｉｎｇＮｏｄｅ）１２の部分は、ＭＳ２とパケットデータトラフィックをルーティングする。ＰＤＳＮ１２はＭＳ２へのリンクレイヤーセッションを確立し、維持して終了し、１以上のＢＳ６及び１以上のＰＳＣＮ８とインタフェースする。
【００１１】
ＡＡＡ（Ａｕｔｈｅｎｔｉｃａｔｉｏｎ、Ａｕｔｈｏｒｉｚａｔｉｏｎａｎｄ Ａｃｃｏｕｎｔｉｎｇ）サーバー１３は、パケットデータトラフィックと関連するインターネットプロトコル認証、権限付与及びアカウント機能を提供する。ＨＡ（ＨｏｍｅＡｇｅｎｔ）１４は、ＭＳ２のＩＰ登録の認証を提供し、ＰＤＳＮ８のＦＡ（Ｆｏｒｅｉｇｎ Ａｇｅｎｔ）１５コンポーネントとパケットデータをリダイレクトし、ＡＡＡ１３からユーザー用の供給情報を受信する。ＨＡ１４はＰＤＳＮ１２に対するセキュリティ通信を確立し、管理し、終了し、ダイナミックＩＰアドレスを割り当てる。ＰＤＳＮ１２は、インターネットＩＰネットワークを介してＡＡＡ１３、ＨＡ１４及びインターネット１６と通信する。
【００１２】
多重アクセス方式には種々あるが、具体的に、周波数分割多重アクセス（ＦＤＭＡ）と、時分割多重アクセス（ＴＤＭＡ）とコード分割多重アクセス（ＣＤＭＡ）がある。ＦＤＭＡにおけるユーザー通信は、例えば、３０ＫＨｚチャンネルを使用するなど、周波数により区分される。ＴＤＭＡにおけるユーザー通信は、例えば、３０ＫＨｚチャンネルを６個のタイムスロットで使用するなど、周波数と時間により区分される。ＣＤＭＡにおけるユーザー通信は、デジタルコードにより区分される。
【００１３】
ＣＤＭＡにおいて、例えば、１．２５ＭＨｚである同じスペクトルの上にあらゆるユーザーがある。各ユーザーは固有なデジタルコード識別子を有し、このようなデジタルコードはユーザーを区分して干渉を防止する。
【００１４】
ＣＤＭＡ信号は多数のチップを用いて単一ビットの情報を伝達する。各ユーザーは固有なチップパターンを有するが、これは本質的にコードチャンネルである。１ビットを復元するためには、ユーザーの知られたチップパターンに応じて多数のチップが統合される。他のユーザーのコードパターンはランダムなものとして現れ、自体取消方式により統合され、ユーザーの適切なコードパターンに応じてなされるビットデコーディング決定を妨げない。
【００１５】
入力データは高速拡散シーケンスと組み合わされ、拡散データストリームとして送信される。受信機はこれと同じ拡散シーケンスを用いて元のデータを抽出する。図２Ａは、拡散及び逆拡散プロセスを示している。図２Ｂに示すように、多数の拡散シーケンスが組み合わされて固有でかつ信頼性あるチャンネルを生成する。
【００１６】
拡散シーケンスのあるタイプとしてはウォルシュコードがある。各ウォルシュコードは６４チップの長さであり、あらゆる他のウォルシュコードと正確に直交する。このようなコードは簡単に生成され、ＲＯＭに貯蔵する上で十分に小さい。
【００１７】
拡散シーケンスの他のタイプとしては、ショートＰＮコードがある。ショートＰＮコードは２つのＰＮシーケンスＩ及びＱからなる。これらのそれぞれは３２、７６８チップの長さであり、互いにほとんど同様に生成されるが、互いに異なるようにタップ処理された１５ビットシフトレジスターに生成される。これらの２つのシーケンスはＩ及びＱ位相チャンネル上において情報をスクランブルする。
【００１８】
拡散シーケンスのさらに他のタイプとしてロングＰＮコードがある。ロングＰＮコードは４２ビットレジスターに生成され、４０以上維持され、約４Ｘ１０１３のチップの長さである。その長さにより、ロングＰＮコードは端末のＲＯＭに貯蔵できず、このため、チップ別に生成されなければならない。
【００１９】
各ＭＳ２は自分の信号をＰＮロングコードと固有オフセットでコーディングするか、あるいは、３２ビットの固有ＥＳＮ（電子一連番号）とシステムが設定した１０ビットを用いて算出される公衆ロングコードマスクでコーディングする。公衆ロングコードマスクは固有なシフトを生成する。プライバシーを拡張するために個別ロングコードマスクが使用されることがある。６４チップなど短期間に統合される場合、異なるロングＰＮコードオフセットを有するＭＳ２は実際に直交性を示すであろう。
【００２０】
ＣＤＭＡ通信は順方向チャンネルと逆方向チャンネルを使用する。順方向チャンネルはＢＴＳ３からＭＳ２への信号に対して使用され、逆方向チャンネルはＭＳからＢＴＳへの信号に対して使用される。
【００２１】
順方向チャンネルは１セクターに対して自分の特定の割り当てられたウォルシュコード及び特定のＰＮオフセットを使用することにより、一人のユーザーが同時に多数のチャンネルタイプを有することが可能になる。順方向チャンネルは自分のＣＤＭＡＲＦ搬送波周波数、セクターの固有ショートコードＰＮオフセット及びユーザーの固有ウォルシュコードにより識別される。ＣＤＭＡ順方向チャンネルは、パイロットチャンネル、シンクチャンネル、ページングチャンネル及びトラフィックチャンネルを含む。
【００２２】
パイロットチャンネルは文字ストリームを含んではいないもの、システム取得のために使用されるタイミングシーケンスであり、ハンドオフのうち測定手段である「構造的なビーコン」である。パイロットチャンネルはウォルシュコード０を使用する。
【００２３】
シンクチャンネルはシステム取得中にＭＳ２が使用するシステム識別及びパラメータ情報のデータストリームを搬送する。シンクチャンネルはウォルシュコード３２を使用する。
【００２４】
容量要件に応じて１から７個のページングチャンネルがありうる。ページングチャンネルは、ページ、システムパラメータ情報及び呼出セットアップ手順を搬送する。ページングチャンネルはウォルシュコード１−７を使用する。
【００２５】
個別ユーザーには呼出トラフィックを搬送するトラフィックチャンネルが割り当てられる。トラフィックチャンネルはノイズにより制限される全体の容量に影響される残りの任意のウォルシュコードを使用する。
【００２６】
逆方向チャンネルはＭＳ２からＢＴＳ３への信号に対して使用されるものであって、ＭＳに対して特定されたウォルシュコードとロングＰＮシーケンスを用いて、一人のユーザーが同時に多数のタイプのチャンネルを送信することを可能にする。逆方向チャンネルは自分のＣＤＭＡＲＦ搬送波周波数と個別ＭＳ２の固有ロングコードＰＮオフセットにより識別される。逆方向チャンネルはトラフィックチャンネルとアクセスチャンネルを含む。
【００２７】
個別ユーザーは実際の呼出中にトラフィックチャンネルを用いてＢＴＳ３にトラフィックを送信する。逆方向トラフィックチャンネルは、基本的にユーザー−特定の公衆または個別ロングコードマスクであり、ＣＤＭＡ端末の数だけ多くの逆方向トラフィックチャンネルが存在する。
【００２８】
未だ呼出に関連されていないＭＳ２はアクセスチャンネルを用いて登録要請、呼出セットアップ要請、ページ応答、順序応答及びその他のシグナリング情報を送信する。アクセスチャンネルは、基本的に、ＢＴＳ３セクターに固有な公衆ロングコードオフセットである。アクセスチャンネルはページングチャンネルと対をなして、各ページングチャンネルは３２個までのアクセスチャンネルを有することになる。
【００２９】
ＣＤＭＡ通信は多くのメリットを提供する。これらのメリットのうち一部としては、可変レートボコーディング及びマルチプレクシングと、順方向電力制御、ＲＡＫＥ受信機の使用及びソフトハンドオフがある。
【００３０】
ＣＤＭＡは可変レートボコーダーを使用可能にすることにより通話を圧縮して、ビットレートを低減させて容量を大幅に増大させる。可変レートボコーディングは通話中にフルビットレートを提供し、通話中止中に低いデータレートを提供して、容量を増大させ、自然なサウンドを提供する。マルチプレクシングは、音声、信号及びユーザー２次データがＣＤＭＡフレームに混合されるようにする。
【００３１】
順方向電力制御を用いることにより、ＢＴＳ３は各ユーザーの順方向基底帯域チップストリームの強度を持続的に低減させる。特定のＭＳ２が順方向リンク上においてエラーを経験する場合、より多くのエネルギーが要請され、エネルギーが再び低減された後にエネルギーのブーストが速やかに供給される。
【００３２】
逆方向電力制御は３種類の方法を連携して用いてあらゆる端末信号レベルをＢＴＳ３において均等化する。逆方向開放ループパワー制御は、受信されたＢＴＳ３信号に基づいてＭＳ２がパワーアップまたはダウンを調節するところに特徴がある（ＡＧＣ）。逆方向閉鎖ループパワー制御は、ＢＴＳ３が１秒当たりに８００回の速度にてパワーアップまたはダウンを１ｄｂずつ調節するところに特徴がある。逆方向アウターループパワー制御はＢＳＣ４がＭＳ２聴取において順方向エラー訂正（ＦＥＲ）を行う場合、ＢＳＣ４がＢＴＳ３セットポイントを調節するところに特徴がある。
【００３３】
受信機ＡＧＣからの開放ループ電力制御とＢＴＳ３による閉鎖ループ制御との相乗効果を含んで、ＭＳ２送信機の実際のＲＦ電力出力ＴＸＰＯは、通常、＋２３ｄｂｍであるＭＳの最大電力を超えることができない。逆方向電力制御は、「ＴＸＰＯ＝−ＲＸｄｂｍ−Ｃ＋ＴＸＧＡ」という式に基づき行われるが、ここで、「ＴＸＧＡ」は呼出の開始後ＢＴＳ３から全ての閉鎖ループ電力制御命令の和であり、「Ｃ」は８００ＭＨｚシステムに対しては＋７３であり、１９００ＭＨｚシステムに対しては＋７６である。
【００３４】
ＲＡＫＥ受信機を使用すると、ＭＳ２がフレームごとに３以上のトラフィック相関機の組み合わせ出力、または、「ＲＡＫＥフィンガー」を使用することが可能になる。各ＲＡＫＥフィンガーは特定のＰＮオフセットとウォルシュコードを独立して復元することができる。このようなフィンガーは、持続的にパイロット信号を点検する探索機と共に、異なるＢＴＳ３の遅延多重経路の反映に集中されるであろう。
【００３５】
ＭＳ２はソフトハンドオフを駆動する。ＭＳ２は使用可能なパイロット信号を持続的に点検し、ＢＴＳ３に現在見ているパイロット信号に関して報告する。ＢＴＳ３は最大６個のセクターまで割り当て、これによりフィンガーを割り当てる。エアーインタフェースメッセージは音消去なしでディム・アンド・バーストにより送信される。通信リンクの各端はユーザーに透明なハンドオフでフレーム別の最上の構成を選択する。
【００３６】
ＣＤＭＡ２０００システムは第３世代広帯域；スプレッドスペクトルインタフェースシステムであって、ＣＤＭＡ技術の拡張されたサービス潜在力を用いて、インターネット及びイントラネットアクセスなどのデータ処理能力と、マルチメディアアップリケーション、高速ビジネストランザクション及び遠隔測定を円滑にする。他の第３世代システムと同様に、ＣＤＭＡ２０００が目指しているのは、ネットワーク経済性と有限量の無線スペクトル可用性の限界を克服しようとする無線送信設計にある。
【００３７】
図３は、ＣＤＭＡ２０００無線ネットワーク用のデータリンクプロトコルアーキテクチャーレイヤー２０を示すものである。このデータリンクプロトコルアーキテクチャーレイヤー２０は、上位レイヤー６０と、リンクレイヤー３０及び物理レイヤー２１を含む。
【００３８】
上位レイヤー６０は、３つのサブレイヤー：すなわち、データサービスサブレイヤー６１と、音声サービスサブレイヤー６２及びシグナリングサービスサブレイヤー６３を含む。データサービスサブレイヤー６１は、移動端ユーザーをダッシュして任意形態のデータを伝達するサービスであって、ＩＰサービスなどのパケットデータアップリケーション、非同期式ファックス及びＢ−ＩＳＤＮエミュレーションサービスなどの回路データアップリケーション及びＳＭＳを含む。音声サービスサブレイヤー６２は、ＰＳＴＮアクセス、移動−対−移動音声サービス及びインターネット電話通信を含む。シグナリングサービスサブレイヤー６３は、移動動作の全ての有様を制御する。
【００３９】
シグナリングサービスサブレイヤー６３はＭＳ２とＢＳ６との間にやり取りされる全てのメッセージを処理する。このようなメッセージは呼出セットアップ及び解体、ハンドオフ、特徴活性化、システム構成、登録及び認証などの機能を制御する。
【００４０】
ＭＳ２において、シグナリングサービスサブレイヤー６３は、呼出プロセス状態、特に、ＭＳ２の初期化状態、ＭＳ２の待ち状態、システムアクセス状態及びトラフィックチャンネル状態に関するＭＳ２制御を司ることになる。
【００４１】
リンクレイヤー３０は、リンクアクセス制御ＬＡＣサブレイヤー３２と媒体アクセス制御ＭＡＣサブレイヤー３１とに大別される。リンクレイヤー３０はデータ伝送サービスのためにプロトコル支援と制御メカニズムを提供し、上位レイヤー６０のデータ伝送要求を物理レイヤー２１の特定の機能及び特徴にマッピングするのに必要となる機能を行う。リンクレイヤー３０は、上位レイヤー６０と物理レイヤー２０との間のインタフェースであるとみなされる。
【００４２】
ＭＡＣ３１とＬＡＣ３２サブレイヤーを分離することは広範な上位レイヤー６０サービスを支援し、具体的に、１．２Ｋｂｐｓから２Ｍｂｐｓ以上の広い性能範囲にあって効率が高く、且つ、遅延の少ないデータサービスを提供する要件を支援しようとする動機によるものである。他の動機としては、収容可能な遅延及び／またはデータＢＥＲビットエラーレートに対する制限など、回路及びパケットデータサービスの高品質伝達支援の必要性と、それぞれ異なるサービス品質要件を有する進歩的なマルチメディアサービスに対する漸進的な要求によるものである。
【００４３】
ＬＡＣサブレイヤー３２は地点−対−地点無線送信リンク４２を介して信頼性あるシーケンス性伝達送信制御機能を提供することがが要求される。ＬＡＣサブレイヤー３２は、上位レイヤー６０エンティティ間の地点−対−地点通信チャンネルを管理し、広範な異なるエンド−ツー−エンド信頼性あるリンクレイヤー３０プロトコルを支援するフレームワークを提供する。
【００４４】
ＬＡＣサブレイヤー３２はシグナリングメッセージの正確な伝達を提供する。このような機能としては、受信確認が要求される保証性伝達と、受信確認が要求されない非保証性伝達、複製メッセージ検出、個別ＭＳ２にメッセージを伝達するアドレス制御、メッセージを物理媒体を介して伝達するのに適したサイズの断片に分割すること、受信メッセージを再組立して検証すること及びグローバルチャレンジー認証などを含む。
【００４５】
ＭＡＣサブレイヤー３１は第３世代無線システムの複雑なマルチメディア、マルチサービス機能をそれぞれのアクティブサービスに対するサービス品質管理機能により円滑にする。ＭＡＣサブレイヤー３１は、物理レイヤー２１へのパケットデータ及び回路データサービスのアクセスを制御するためのプロシージャーを提供するが、これは、単一ユーザーからだけではなく、無線システム内の競争的なユーザー間において多数のサービス間の競合制御を含む。また、ＭＡＣサブレイヤー３１は、論理チャンネルと物理チャンネルとの間のマッピングを提供し、多数のソースからのデータを単一物理チャンネル上にマルチプレックスし、最上の努力を尽くす程度の信頼性のために無線リンクプロトコル（ＲＬＰ）３３を用いて無線リンクレイヤーを介して合理的に信頼性ある送信を提供する。シグナリング無線バーストプロトコル（ＳＲＢＰ）３５はシグナリングメッセージのために無線プロトコルを提供するエンティティである。マルチプレクシング及びサービス品質制御３４は、競合サービスからの対立要請を仲裁し、アクセス要請の適切な優先順位化により交渉されたサービス品質レベルを執行することを司る。
【００４６】
物理レイヤー２１は大気を通じて送信されるデータのコーディング及び変調を司る。物理レイヤー２１はより上位のレイヤーからのデジタルデータを調節して前記データが移動無線チャンネルを介して信頼性よく送信されるようにする。
【００４７】
物理レイヤー２１は、ＭＡＣサブレイヤー３１が多数の伝送チャンネルを介して伝達するユーザーデータ及びシグナリングを物理チャンネルにマッピングさせ、このような情報を無線インタフェースを介して送信する。送信方向において、物理レイヤー２１により行われる機能としては、チャンネルコーディング、インタリービング、スクランブリング、拡散及び変調が含まれる。受信方向において、これらの機能は逆転換されて受信機においては送信されたデータを復元する。
【００４８】
図４は、呼出処理の概略図である。呼出処理は、パイロット及びシンクチャンネル処理、ページングチャンネル処理、アクセスチャンネル処理及びトラフィックチャンネル処理を含む。
【００４９】
パイロット及びシンクチャンネル処理とは、ＭＳ２初期化状態においてＣＤＭＡシステムを取得し、ＣＤＭＡシステムと同期化するためにＭＳ２がパイロット及びシンクチャンネルを処理することを言う。ページングチャンネル処理とは、待ち状態においてＢＳ６からオーバーヘッド及び移動−志向性メッセージを受信するためにＭＳ２がページングチャンネルまたは順方向共通制御チャンネルＦ−ＣＣＣＨをモニターリングすることを言う。アクセスチャンネル処理とは、ＭＳ２が、システムアクセス状態においてアクセスチャンネルまたは拡張されたアクセスチャンネル上においてＢＳ６にメッセージを送信することを言い、ＢＳ６は常にこれらのチャンネルを聴き取っており、ページングチャンネルまたはＦ−ＣＣＣＨのうちいずれかの上においてＭＳに応答している状態においてなされるのである。トラフィックチャンネル処理とは、ＢＳ６とＭＳ２がトラフィックチャンネル状態においてＭＳ２制御にある専用順方向及び逆方向チャンネルを用いて通信することを言い、前記専用の順方向及び逆方向チャンネルは音声及びデータなどユーザー情報を搬送するものである。
【００５０】
図５は、ＭＳ２の初期化状態を示している。このような初期化状態は、システム判定サブ状態、パイロットチャンネル取得、シンクチャンネル取得、タイミング変化サブ状態及び移動局待ち状態を含む。
【００５１】
システム判定は、ＭＳ２がどのシステムからサービスを取得するかを決定するプロセスである。このプロセスはアナログ対デジタル、セルラー対ＰＣＳ及びＡ搬送波対Ｂ搬送波などの決定を含む。カスタム選択プロセスがシステム判定を制御するであろう。リダイレクションプロセスを使用するサービスプロバイダーもシステム判定を制御するであろう。ＭＳ２はシステムを選択した後、当該システム内のどのチャンネル上においてサービスを探索するかを決定しなければならない。一般に、ＭＳ２は優先順位化されたチャンネル一覧を用いてチャンネルを選択する。
【００５２】
パイロットチャンネル取得はＭＳ２が使用可能なパイロット信号を探索してシステムタイミングに関する情報を先に取得するプロセスである。パイロットチャンネルは情報を含んではいないもの、ＭＳ２はパイロットチャンネルと相関することにより自分のタイミングを整列する。このような相関が一旦完了すると、ＭＳ２はシンクチャンネルと同期化され、シンクチャンネルメッセージを読み込んで自分のタイミングをさらに再整備することができる。ＭＳ２は失敗を宣言する前に単一パイロットチャンネル上において１５秒まで探索することがが許容され、他のチャンネルまたは他のシステムを選択するためのシステム判定に戻る。探索プロシージャーは規格化されていないものであって、システムを取得する時間はその具現により異なってくる。
【００５３】
図６は、システムアクセス状態を示す図である。システムアクセスプロセスにおける第１のステップは、オーバーヘッド情報を更新してＭＳ２が初期電力レベル及び電力段階増分などアクセスチャンネルパラメータを正確に使用しているかを確認することである。ＭＳ２は、アクセスチャンネルをランダムに選択し、ＢＳ６または他のＭＳとの調整なしに送信する。
【００５４】
図７は、移動トラフィックチャンネル状態を示す図である。移動トラフィックチャンネル状態はサービス交渉、アクティブモード及び制御ホールドモードを含む。
【００５５】
サービス交渉は、ＭＳ２とＢＳ６が呼出中にどのようなサービスオプションが使用されるかと、これらのサービスを支援するためにどのように無線チャンネルを構成するかを交渉するプロセスである。通常、サービス交渉は呼出の開始時に発生するが、必要に応じて呼出中の任意の時間に発生することもある。図１５は、ＢＳ６とＭＳ２との間のサービス交渉プロセスを示す図である。
【００５６】
トラフィックチャンネルサブ状態において動作する間に、ＭＳ２はアクティブモードまたは制御ホールドモードのうちいずれかのモードにおいて動作するであろう。アクティブモードにおいては、高速データが使用可能である場合、Ｒ−ＦＣＨ、Ｒ−ＤＣＣＨ、Ｒ−ＳＣＨまたはＲ−ＰＤＣＨのうちいずれかがアクティブされると共に、逆方向パイロットチャンネルが活性化される。制御ホールドモードにおいては、逆方向パイロットチャンネルだけが送信され、これは、送信電力を低減するために１／２または１／４などゲートされたモードにおいて動作するであろう。
【００５７】
ＢＳ６がＲ−ＦＣＨ及びＲ−ＤＣＣＨ上における送信を停止せよと指示する場合、ＭＳ２は制御ホールドモードに入る。制御ホールドモードにある間に、ＭＳ２が送信するユーザーデータを有している場合には、補助チャンネル割当てを要請することができる。ＢＳ６がこのような割当てを許すと、ＭＳ２はアクティブモードに再び切り替えられ、連続パイロットチャンネル及びＲ−ＦＣＨまたはＲ−ＤＣＣＨチャンネルのうちいずれかの送信を再開する。
【００５８】
マルチプレクシング及びサービス品質制御サブレイヤー３４は送信機能と受信機能の両者を有する。送信機能は、データサービス６１、シグナリングサービス６３または音声サービス６２などの様々なソースからの情報を組み合わせて、送信用の物理レイヤーＳＤＵ及びＰＤＣＨＣＦＳＤＵを形成する。受信機能は、物理レイヤー２１に含まれている情報とＰＤＣＨＣＦＳＤＵを区分し、このような情報をデータサービス６１、上位レイヤーシグナリング６３または音声サービス６２などの正確なエンティティに伝達する。
【００５９】
マルチプレクシング及びサービス品質制御サブレイヤー３４は物理レイヤー２１と時間同期化されて動作する。物理レイヤー２１がノンゼロフレームオフセットに送信する場合、マルチプレクシング及びサービス品質制御サブレイヤー３４は、システムタイムからの適切なフレームオフセットにて物理レイヤーによる送信用の物理レイヤーＳＤＵを伝達する。
【００６０】
マルチプレクシング及びサービス品質制御サブレイヤー３４は、元の物理チャンネル特定のサービスインタフェースセットを用いて、物理レイヤー２１に物理レイヤー２１ＳＤＵを伝達する。物理レイヤー２１は、物理チャンネル特定の受信表示サービスインタフェース動作を用いて、マルチプレクシング及びサービス品質制御サブレイヤー３４に物理レイヤーＳＤＵを伝達する。
【００６１】
ＳＲＢＰサブレイヤー３５は、シンクチャンネル、順方向共通制御チャンネル、放送制御チャンネル、ページングチャンネル及びアクセスチャンネルプロシージャーを含む。
【００６２】
ＬＡＣサブレイヤー３２は、レイヤー３６０にサービスを提供する。ＳＤＵＭはレイヤー３６０とＬＡＣサブレイヤー３２との間に伝達される。ＬＡＣサブレイヤー３２はＳＤＵをＬＡＣＰＤＵに適切にカプセル化することを提供するが、これは区画化及び再組立され、ＭＡＣサブレイヤー３１にカプセル化されたＰＤＵ断片として伝達される。
【００６３】
ＬＡＣサブレイヤー３２内の処理は順次に行われるが、処理エンティティが部分的に形成されたＬＡＣＰＤＵをよく樹立された順番で相互伝達する。ＳＤＵ及びＰＤＵは、上位レイヤーが物理チャンネルの無線特性を知る必要なしに、機能経路に沿って処理されて伝達される。しかしながら、上位レイヤーは物理チャンネルの特性を知ることができ、レイヤー２３０に特定のＰＤＵの送信のために特定の物理チャンネルを使用せよと指示することができる。
【００６４】
１ｘＥＶ−ＤＯシステムはパケットデータサービスに対して最適化され、ＤａｔａＯｎｌｙまたはＤａｔａ Ｏｐｔｉｍｉｚｅｄ（「ＤＯ」）に対して単一１．２５ＭＨｚ搬送波（「１ｘ」）にその特徴がある。また、順方向リンク上においては４．１９５２Ｍｂｐｓまでのピークデータレートがあり、逆方向リンク上においては１．８４３２Ｍｂｐｓまでのピークデータレートがある。さらに、１ｘＥＶ−ＤＯは別途の周波数帯域を提供し、１ｘシステムと相互作用する。図８は、１ｘ及び１ｘＥＶ−ＤＯに対するＣＤＭＡ２０００の比較を示す図である。
【００６５】
ＣＤＭＡ２０００システムには、同時発生サービスが存在するが、これにより音声及びデータが実際に６１４．４ｋｂｐｓ及び３０７．２ｋｂｐｓの最大データレートにて一緒に送信される。ＭＳ２は、音声呼出に対してはＭＳＣ５と通信し、データ呼出に対してはＰＤＳＮ１２と通信する。ＣＤＭＡ２０００はウォルシュコード区分順方向トラフィックチャンネルによる固定レート及び可変電力に特徴がある。
【００６６】
１ｘＥＶ−ＤＯシステムにおいて、最大データレートは４．９１５２Ｍｂｐｓであり、回路交換コアネットワーク７との通信がない。１ｘＥＶ−ＤＯは時分割多重化された単一順方向チャンネルによる固定電力及び可変レートに特徴がある。
【００６７】
図９は、１ｘＥＶ−ＤＯアーキテクチャーを示す図である。１ｘＥＶ−ＤＯシステムにおいて、１フレームは、１秒当たりに６００スロットである１６個のスロットから構成され、持続期間が２６．６７ｍｓまたは３２、７６８チップである。単一スロットは１．６６６７ｍｓの長さであり、２０４８チップを有する。制御／トラフィックチャンネルは１つのスロットに１６００つのチップを有し、パイロットチャンネルは１つのスロットに１９２つのチップを有し、ＭＡＣチャンネルは１つのスロットに２５６つのチップを有する。１ｘＥＶ−ＤＯシステムはより簡単で且つより高速なチャンネル推定及び時間同期化を円滑にする。
【００６８】
図１０は、１ｘＥＶ−ＤＯシステムデフォルトプロトコルアーキテクチャーを示す図である。図１１は、１ｘＥＶ−ＤＯシステムノンデフォルトプロトコルアーキテクチャーを示す図である。
【００６９】
１ｘＥＶ−ＤＯシステムにおけるセッションと関連する情報には、ＭＳ２、すなわち、アクセス端末ＡＴとＢＳ６、すなわち、アクセスネットワークＡＮがエアリンクを介して使用するプロトコルセットと、ＵＡＴＩ（ＵｎｉｃａｓｔＡｃｃｅｓｓ Ｔｅｒｍｉｎａｌ Ｉｄｅｎｔｉｆｉｅｒ）と、ＡＴ及びＡＮがエアリンクを介して使用するプロトコルの構成及び現在ＡＴ位置の推定などが含まれる。
【００７０】
アップリケーションレイヤーは最上の努力を提供し、これにより、メッセージが一旦送信され、メッセージが１回以上再送信可能な信頼性ある伝達を提供する。ストリームレイヤーは１つのＡＴ２に対して４個（デフォルト）または２５５個（ノンデフォルト）までのアップリケーションストリームをマルチプレックスできる能力を提供する。
【００７１】
セッションレイヤーは、セッションが依然として有効であるかどうかを確認してセッションの閉鎖を管理し、初期ＵＡＴＩ割当てに対するプロシージャーを具体化し、ＡＴアドレスを管理し、セッション中に使用されるプロトコルとこれらのプロトコルの構成パラメータを交渉／供給する。
【００７２】
図１２は、１ｘＥＶ−ＤＯセッションの確立を示す図である。図１２に示すように、セッションを確立することは、アドレス構成、接続確立、セッション構成及びキー交換を含む。
【００７３】
アドレス構成とは、ＵＡＴＩ及びサブネットマスクを割り当てるアドレス管理プロトコルを言う。接続確立とは、無線リンクを設定する接続レイヤープロトコルを言う。セッション構成とは、全てのプロトコルを構成するセッション構成プロトコルを言う。キー交換とは、認証のためにキーを設定するセキュリティレイヤーにおけるキー交換プロトコルを言う。
【００７４】
「セッション」とは、ＡＴ２とＲＮＣとの間の論理的な通信リンクを言うが、これは、数時間中にデフォルトとしては５４時間開放状態を維持する。セッションはＰＰＰセッションが同様に活性化されるまで持続する。セッション情報はＡＮ６のＲＮＣが制御して維持する。
【００７５】
接続が開放されると、ＡＴ２は順方向トラフィックチャンネル、逆方向トラフィックチャンネル、逆方向電力制御チャンネルに割当て可能である。単一セッション中に多重接続が発生することがある。１ｘＥＶ−ＤＯシステムには２種類の接続状態、すなわち、閉鎖接続と開放接続が存在する。
【００７６】
閉鎖接続とは、ＡＴ２に専用のエアリンク資源が割り当てられておらず、ＡＴ２とＡＮ６との間の通信がアクセスチャンネルと制御チャンネルを介して行われる状態を言う。開放接続とは、ＡＴ２が順方向トラフィックチャンネル、逆方向電力制御チャンネル及び逆方向トラフィックチャンネルに割当て可能であり、ＡＴ２とＡＮ６との間の通信が制御チャンネルを介してだけではなく、前記割り当てられたチャンネルを介して行われる状態を言う。
【００７７】
接続レイヤーはネットワークの初期取得、開放接続及び閉鎖接続の設定及び通信を管理する。また、接続レイヤーは開放接続及び閉鎖接続の両方において近似的なＡＴ２位置を維持し、開放接続がある場合にＡＴ２とＡＮ６との間の無線リンクを管理する。また、接続レイヤーは、開放接続及び閉鎖接続の両方においてセッションレイヤーから受信されたデータを監督し、優先順位化し、カプセル化して、優先順位化されたデータをセキュリティレイヤーに伝達し、セキュリティレイヤーから受信されたデータを非カプセル化して、これをセッションレイヤーに伝達する。
【００７８】
図１３は、接続レイヤープロトコルを示す図である。図１３に示すように、このプロトコルは初期化状態、待ち状態及び接続状態を含む。
【００７９】
初期化状態において、ＡＴ２はＡＮ６を取得し、初期化状態プロトコルを活性化する。待ち状態においては、閉鎖接続が初期化され、待ち状態プロトコルが活性化される。接続状態においては、開放接続が初期化され、接続状態プロトコルが活性化される。
【００８０】
初期化状態プロトコルはＡＮ６を取得することと関連する動作を行う。待ち状態プロトコルはＡＮ６を取得したが、開放接続を有さないＡＴ２と関連する動作（例えば、ルート更新プロトコルを用いてＡＴ２の位置追跡を行うなど）などを行う。接続状態プロトコルは開放接続を有するＡＴ２と関連する動作（例えば、ＡＴ２とＡＮ６との間の無線リンクを管理すること、閉鎖動作に至るプロシージャーを管理することなど）を行う。ルート更新プロトコルはＡＴ２の位置追跡及びＡＴ２とＡＮ６との間の無線リンク管理と関連する動作を行う。オーバーヘッドメッセージプロトコルは、ＱｕｉｃｋＣｏｎｆｉｇ、ＳｅｃｔｏｒＰａｒａｍｅｔｅｒｓ及びＡｃｃｅｓｓＰａｒａｍｅｔｅｒｓメッセージなどの必須パラメータを制御チャンネルを介して放送する。パケット統合プロトコルは送信用のパケットをこれらの割り当てられた優先順位化及びターゲットチャンネルの関数として統合して優先順位化することだけではなく、受信機上におけるパケットデマルチプレクシングを提供する。
【００８１】
セキュリティレイヤーはキー交換機能、認証機能及び暗号化機能を含む。キー交換機能は認証トラフィックのためにＡＮ２とＡＴ６が追随するプロシージャーを提供する。認証機能は認証及び暗号化用のセキュリティキーを交換するためにＡＮ２とＡＴ６が追随するプロシージャーを提供する。暗号化機能はトラフィックを暗号化するためにＡＮ２とＡＴ６が追随するプロシージャーを提供する。
【００８２】
１ｘＥＶ−ＤＯ順方向リンクはパケットデータチャンネル（順方向トラフィックチャンネルとも言う。）に対して電力制御とソフトハンドオフが支援されないという特徴がある。ＡＮ６は一定の電力にて送信し、ＡＴ２は順方向リンク上に可変レートを要請する。ＴＤＭにおいては異なるユーザーが異なる時間に送信を行う筈であるため、単一ユーザーのために考慮された異なるＢＳ６からダイバーシティ送信を実現することが困難である。
【００８３】
ＭＡＣレイヤーにおいては、より上位レイヤーから始まった２種類のメッセージ、具体的には、ユーザーデータメッセージとシグナリングメッセージが物理レイヤーを介して伝送される。これらの２種類のメッセージを処理するために、２つのプロトコル、具体的には、ユーザーデータメッセージ用の順方向トラフィックチャンネルＭＡＣプロトコルとシグナリングメッセージ用の制御チャンネルＭＡＣプロトコルが使用される。
【００８４】
物理レイヤー２１は、１．２２８８Ｍｃｐｓの拡散レート、１つのスロットが１．６７ｍｓであり、２０４８チップである１６個のスロットと２６．２６ｍｓであるフレームを特徴とする。順方向リンクチャンネルはパイロットチャンネル、順方向トラフィックチャンネルまたは制御チャンネル及びＭＡＣチャンネルを含む。
【００８５】
パイロットチャンネルは全ての「０」情報ビットとウォルシュ拡散を含むという点においてＣＤＭＡ２０００パイロット信号に類似しているが、１つのスロットに対して１９２個のチップを有している。
【００８６】
順方向トラフィックチャンネルは３８．４ｋｂｐｓから２．４７５６Ｍｂｐｓまで、または、４．８ｋｂｐｓから４．９１５２Ｍｂｐｓまで変動するデータレートに特徴がある。物理レイヤーパケットは１つから１６個のスロットに送信可能であり、送信スロットは１以上のスロットが割り当てられる場合、４−スロットインタレーシングを使用する。割り当てられたスロットの全体が送信される前に逆方向リンクＡＣＫチャンネル上にＡＣＫが受信される場合、残りのスロットは送信されないはずである。
【００８７】
制御チャンネルはＣＤＭＡ２０００におけるシンクチャンネル及びページングチャンネルに類似している。制御チャンネルは、２５６スロットまたは４２６．６７ｍｓの周期、１０２４ビットまたは１２８、２５６、５１２及び１０２４ビットの物理レイヤーパケットの長さ、及び３８．４ｋｂｐｓまたは７６．８ｋｂｐｓまたは１９．２ｋｂｐｓ、３８．４ｋｂｐｓまたは７６．８ｋｂｐｓのデータレートを特徴とする。
【００８８】
順方向リンクが支援するトラフィック動作には、データレート制御ＤＲＣ報告、ＢＳ６におけるスケジューリング、選択されたユーザーへのデータ送信及びＡＣＫ／ＮＡＫが含まれる。
【００８９】
データレート制御（ＤＲＣ）報告は、ＡＴ２が１．６７ｍｓおきに１回ずつ程度によくＤＲＣを報告できるようにする。各アクティブＡＴ２は自分の無線条件を測定し、測定結果を１秒当たりにＤＲＣ値のデータレート（６００／ＤＲＣＬｅｎｇｔｈ）にてＢＳ６に提供する。報告されたパラメータにはＤＲＣＬｅｎｇｔｈ、ＤＲＣＧａｔｉｎｇ、ＤＲＣＬｏｃｋチャンネル、ＤＲＣＯｆｆｓｅｔ及びＤＲＣチャンネルが含まれる。
【００９０】
ＤＲＣＬｅｎｇｔｈはＡＴ２がいかに頻繁にＤＲＣ値を算出するかを決定し、ＤＲＣチャンネルに対する利得を８個のスロットに対して最も低いものとして決定する。採用可能な値としては、１、２、４または８スロットがある。
【００９１】
ＤＲＣＧａｉｎｇは、ＡＴ２がＤＲＣ値を連続的に送信するか、あるいは、非連続的に送信するかを判定する。採用可能な値としては、連続的なものに対して０ｘ００であり、非連続的なものに対して０ｘ０１である。
【００９２】
ＤＲＣＯｆｆｓｅｔは試験的なＤＲＣからＤＲＣＯｆｆｓｅｔを差し引くことにより被送信ＤＲＣ算出を円滑にするものであって、より現実的な環境に向いている。
【００９３】
ＤＲＣチャンネルはＡＴ２により使用されて順方向トラフィックチャンネル上において選択されたサービングセクターと要請されたデータレートをＡＮ６に表示する。要請されたデータレートは４−デジットＤＲＣ値にマッピングされるが、これは、選択されたサービングセクターに対応する８次ウォルシュ機能がＤＲＣチャンネル送信を拡散させるのに使用されるものである。順方向トラフィックチャンネルＭＡＣプロトコルからのＤＲＣＣｏｖｅｒはカバーマッピングを定義する。ＤＲＣ値は１秒当たりに６００／ＤＲＣＬｅｎｇｔｈＤＲＣ値のデータレートにて送信されるが、最大レートが１秒当たりに６００であり、最小レートが１秒当たりに７５である。
【００９４】
１ｘＥＶ−ＤＯ逆方向リンクは、ＡＮ６が逆方向電力制御を用いて逆方向リンクを電力制御することができるという点と、１以上のＡＮ６がソフトハンドオフを通じてＡＴ２の送信を受信することができるという点に特徴がある。また、逆方向リンク上にはＴＤＭがなく、逆方向リンクはロングＰＮコードを使用するウォルシュコードによりチャンネル化される。
【００９５】
逆方向リンクにおいては、２つのＭＡＣレイヤープロトコルが使用されて２種類のタイプのメッセージを処理する。逆方向トラフィックチャンネルＭＡＣプロトコルはユーザーデータメッセージを処理するのに使用され、アクセスチャンネルＭＡＣプロトコルはシグナリングメッセージを処理するのに使用される。
【００９６】
逆方向トラフィックチャンネルＭＡＣプロトコルを用いて、ＡＮ６はＢｒｏａｄｃａｓｔＲｅｖｅｒｓｅＲａｔｅｌｉｍｉｔ、ＵｎｉｃａｓｔＲｅｖｅｒｓｅＲａｔｅＬｉｍｉｔ、逆方向アクティビティビット、遷移確率マトリックス及びレートパラメータを含む情報をＡＴ２に提供する。逆方向リンクチャンネルは逆方向トラフィックチャンネルとアクセスチャンネルを含む。
【００９７】
逆方向トラフィックチャンネルは、データチャンネル、パイロットチャンネル、ＭＡＣチャンネル及びＡＣＫチャンネルを含む。主パイロットチャンネルと補助パイロットチャンネルが提供される。
【００９８】
ＭＡＣチャンネルは逆方向レート表示子（ＲＲＩ）チャンネル、データレート制御（ＤＲＣ）チャンネル及びデータソース制御（ＤＳＣ）チャンネルを含む。アクセスチャンネルはパイロットチャンネルとデータチャンネルを含む。
【００９９】
搬送波の数が増えるに伴い、オーバーヘッドも増大する。例えば、接続状態においてＡＴのアクティブセットを管理するためにＡＮが送信する、トラフィックチャンネル割当てＴＣＡメッセージに対するオーバーヘッドのレベルは、２つの搬送波があり、且つ、２つのアクティブセットがある場合に３００ビット以上のサイズであると想定し、１５個の搬送波があり、且つ、２つのアクティブセットがある場合に２０００ビット程度のサイズであると想定する。ＴＣＡメッセージは、例えば、数秒おきに１回程度によく送信されるため、ほとんどの情報は少ない部分だけが変化し、静的な状態のままで存在することになる。このため、静的な状態であるか、あるいは、変化される状態であるかに応じて、全ての情報を繰り返す従来の方法は効率的なものではない。
【０１００】
このため、ほとんどが安定的な状態の情報を通信するのにより効率よい手段が必要である。本発明はこのような要求及びその他の要求に対応するためのものである。
【発明の開示】
【発明が解決しようとする課題】
【０１０１】
本発明の特徴及び利点が以下詳細な説明に開示され、その一部は詳細な説明から自明であるか、あるいは、本発明の実施により学習可能であろう。本発明の目的及びその他の利点は添付図面だけではなく、詳細な説明と特許請求の範囲に具体的に開示される構造により実現可能であろう。本発明は頻繁に送信されるシグナリングメッセージのオーバーヘッドを低減するための方法及び装置を提供することに関する。
【課題を解決するための手段】
【０１０２】
本発明のある態様においては、多数搬送波移動通信システムにおいてシグナリング情報を提供する方法が提供される。この方法は、複数のフィールドを連結してシグナリングメッセージを生成するステップと、前記シグナリングメッセージを送信するステップと、を含み、前記複数のフィールドのうち少なくとも２つのフィールドは類似する情報を伝達し、前記少なくとも２つのフィールドのうち第１のフィールドは情報を含み、前記少なくとも２つのフィールドのうち第２のフィールドはフラグを含み、前記フラグは前記少なくとも２つのフィールドのうち第２のフィールドの値が前記少なくとも２つのフィールドのうち第１のフィールドの情報と同じである旨を示す。
【０１０３】
前記シグナリングメッセージはトラフィックチャンネル割当てメッセージであることが考慮される。また、前記少なくとも２つのフィールドのうち第２のフィールドは複数の連続連結されたフィールドの値がその以前の複数の連続連結されたフィールドの値に貯蔵された情報と同じであることが考慮される。
【０１０４】
本発明の他の態様においては、移動通信システムにおいてシグナリング情報を提供する方法が提供される。この方法は、複数の連結されたフィールドを含むシグナリングメッセージを受信するステップと、前記複数のフィールドのうち少なくとも一つのフィールドが、前記フィールドの値が以前のフィールドにおける情報と同じである旨を示すフラグを含んでいるかどうかを判定するステップと、前記複数のフィールドのうち少なくとも一つのフィールドの前記値を前記以前のフィールドの情報に設定するステップと、を含む。
【０１０５】
前記シグナリングメッセージは、トラフィックチャンネル割当てメッセージであることが考慮される。また、複数の連続連結されたフィールドの値がその以前の複数の連続連結されたフィールドの情報と同じである旨を前記フラグが示すかどうかを判定するステップと、前記複数の連続連結されたフィールドの値を前記その以前の複数の連続連結されたフィールドの情報に設定するステップと、をさらに含むことが考慮される。
【０１０６】
本発明の他の態様においては、移動通信システムにおいてシグナリング情報を提供する方法が提供される。この方法は、少なくとも一つのフィールドをそれぞれ含む第１のシグナリングメッセージ及び第２のシグナリングメッセージを生成するステップと、前記第１のシグナリングメッセージ及び前記第２のシグナリングメッセージを送信するステップと、を含み、前記第２のシグナリングメッセージの少なくとも一つのフィールドは、その値が対応する前記第１のシグナリングメッセージの少なくとも一つのフィールドの情報と同じである旨を示すフラグを含んで、前記第２のシグナリングメッセージが前記第１のシグナリングメッセージよりも短くなる。
【０１０７】
前記第２のシグナリングメッセージの少なくとも一つのフィールドは、前記第２のシグナリングメッセージの複数の連続連結されたフィールドの値が対応する前記第１のシグナリングメッセージの複数の連続連結されたフィールドの情報と同じである旨を示すフラグを含むことが考慮される。また、前記第１のシグナリングメッセージ及び前記第２のシグナリングメッセージはそれぞれ漸増的なメッセージ一連番号をさらに含み、前記第２のシグナリングメッセージの一連番号は前記第１のシグナリングメッセージの一連番号から漸増することが考慮される。
【０１０８】
また、前記第２のシグナリングメッセージが受信されていないと判定されれば、前記第２のシグナリングメッセージを再送信するステップをさらに含み、前記再送信された第２のシグナリングメッセージの一連番号は変化されないことが考慮される。また、前記第１のシグナリングメッセージの少なくとも一つのフィールドの値が前記第２のシグナリングメッセージ送信後にも適用可能であるかどうかを判定するステップをさらに含むことが考慮される。
【０１０９】
さらに、少なくとも第３のシグナリングメッセージを生成するステップ−前記第３のシグナリングメッセージは少なくとも一つのフィールドを含み、前記少なくとも一つのフィールドは前記少なくとも一つのフィールドの値が対応する前記第１のシグナリングメッセージの少なくとも一つのフィールドの情報と同じである旨を示すフラグを含んで、前記第３のシグナリングメッセージが前記第１のシグナリングメッセージよりも短い−と、前記少なくとも第３のシグナリングメッセージを送信するステップと、をさらに含むことが考慮される。なお、前記第１のシグナリングメッセージ及び前記第２のシグナリングメッセージはそれぞれメッセージ識別フィールドをさらに含むことが考慮される。
【０１１０】
さらにまた、前記第１のシグナリングメッセージ及び前記第２のシグナリングメッセージのメッセージ識別フィールドは同じであることが考慮される。なお、前記第１のシグナリングメッセージ及び前記第２のシグナリングメッセージのメッセージ識別フィールドは異なることが考慮される。
【０１１１】
本発明の他の態様においては、移動通信システムにおいてシグナリング情報を提供する方法が提供される。この方法は、それぞれ少なくとも一つのフィールドを含む第１のシグナリングメッセージ及び第２のシグナリングメッセージを受信するステップと、前記第２のシグナリングメッセージの少なくとも一つのフィールドがその値が対応する前記第１のシグナリングメッセージの少なくとも一つのフィールドの値の情報と同じである旨を示すフラグを含んでいるかどうかを判定するステップと、前記第２のシグナリングメッセージの少なくとも一つのフィールドの値を対応する前記第１のシグナリングメッセージの少なくとも一つのフィールドの情報に設定するステップと、を含む。好ましくは、この方法が、前記第２のシグナリングメッセージの少なくとも一つのフィールドが、前記第２のシグナリングメッセージの複数の連続連結されたフィールドの値が対応する前記第１のシグナリングメッセージの複数の連続連結されたフィールドの情報と同じである旨を示すフラグを含んでいるかどうかを判定するステップと、前記第２のシグナリングメッセージの複数の連続連結されたフィールドの値を対応する前記第１のシグナリングメッセージの複数の連続連結されたフィールドの情報に設定するステップ（１フィールドのフラグは１以上のフィールドの省略を可能にする）と、をさらに含む。
【０１１２】
本発明の他の態様においては、移動通信システムにおいてシグナリング情報を提供する方法が提供される。この方法は、特定の特徴が活性化されるかどうかを示すフラグを含む少なくとも一つのフィールドを含むシグナリングメッセージを生成するステップと、前記シグナリングメッセージを送信するステップと、を含み、前記フラグが前記特定の特徴が活性化されている旨を示す場合、前記シグナリングメッセージは前記特定の特徴と関連する少なくとも一つの追加フィールドを含み、前記フラグが前記特定の特徴が活性化されない旨を示す場合、前記シグナリングメッセージは前記特定の特徴と関連する追加フィールドを含んでおらず、前記特定の特徴が活性されなければ、前記シグナリングメッセージがより短くなる。
【０１１３】
本発明の他の態様においては、移動通信システムにおいてシグナリング情報を提供する方法が提供される。この方法は、特定の特徴が活性化されるかどうかを示すフラグを含む少なくとも一つのフィールドを含むシグナリングメッセージを生成するステップと、前記特定の特徴が活性化されなければ、前記シグナリングメッセージからより少ないフィールドが抽出されるように、前記フラグが前記特定の特徴が活性化されている旨を示す場合、前記メッセージから前記特定の特徴と関連する少なくとも一つの追加フィールドを抽出し、前記フラグが前記特定の特徴が活性化されていない旨を示す場合、前記特定の特徴と関連する追加フィールドを抽出しないステップと、を含む。
【０１１４】
本発明の他の態様においては、移動端末が提供される。この移動端末は、シグナリングメッセージを送信及び受信する送受信部と、ユーザーインタフェース情報を表示する表示部と、ユーザーデータを入力する入力部と、シグナリングメッセージを生成し、前記送受信部がシグナリングメッセージを送信することを制御する処理部と、を備え、前記シグナリングメッセージは複数のフィールドを連結して生成され、前記複数のフィールドのうち少なくとも２つのフィールドは類似する情報を伝達し、前記少なくとも２つのフィールドのうち第１のフィールドは情報を含み、前記少なくとも２つのフィールドのうち第２のフィールドはフラグを含み、前記フラグは前記少なくとも２つのフィールドのうち前記第２のフィールドの値が前記少なくとも２つのフィールドのうち前記第１のフィールドの情報と同じである旨を示す。
【０１１５】
前記少なくとも２つのフィールドのうち第２のフィールドは複数の連続連結されたフィールドの値がその以前の複数の連続連結されたフィールドの情報と同じである旨を示すフィールドを含むことが考慮される。また、前記処理部は、複数の連結されたフィールドを含むシグナリングメッセージを受信し、前記複数のフィールドのうち少なくとも一つのフィールドがそのフィールドの値が以前のフィールドの情報と同じである旨を示すフラグを含んでいるかどうかを判定し、前記複数のフィールドのうち少なくとも一つのフィールドの値を前記以前のフィールドの情報に設定することが考慮される。
【０１１６】
また、前記シグナリングメッセージはトラフィックチャンネル割当てメッセージであることが考慮される。さらに、前記処理部は、前記フラグが複数の連続連結されたフィールドの値がその以前の複数の連続連結されたフィールドの情報と同じである旨を示すかどうかを判定し、前記複数の連続連結されたフィールドの値を前記その以前の複数の連続連結されたフィールドの情報に設定することが考慮される。
【０１１７】
さらに、前記処理部は、少なくとも一つのフィールドを含む第１のシグナリングメッセージを生成して送信し、少なくとも一つのフィールドを含む第２のシグナリングメッセージを生成して送信し、前記第２のシグナリングメッセージの少なくとも一つのフィールドは前記第２のシグナリングメッセージの少なくとも一つのフィールドの値が対応する第１のシグナリングメッセージの少なくとも一つのフィールドの情報と同じである旨を示すフラグを含んで、前記第２のシグナリングメッセージが前記第１のシグナリングメッセージよりも短くなることが考慮される。また、前記第２のシグナリングメッセージの少なくとも一つのフィールドは、前記第２のシグナリングメッセージの複数の連続連結されたフィールドの値が対応する前記第１のシグナリングメッセージの複数の連続連結されたフィールドの情報と同じである旨を示すフラグを含むことが考慮される。
【０１１８】
さらに、前記処理部は、前記第１のシグナリングメッセージ及び前記第２のシグナリングメッセージに漸増的なメッセージ一連番号を含めて、前記第２のシグナリングメッセージの一連番号が前記第１のシグナリングメッセージの一連番号から漸増することが考慮される。なお、前記処理部は、前記第２のシグナリングメッセージが受信されていないと判定される場合、前記第２のシグナリングメッセージを再送信し、前記再送信された第２のシグナリングメッセージの一連番号は変化されずに維持されることが考慮される。
【０１１９】
また、前記処理部は、前記第１のシグナリングメッセージの少なくとも一つのフィールドの値が前記第２のシグナリングメッセージ送信後にも適用可能であるかどうかを判定することが考慮される。さらに、前記処理部は、少なくとも第３のシグナリングメッセージを生成して送信し、前記第３のシグナリングメッセージは少なくとも一つのフィールドを含み、前記少なくとも一つのフィールドはその値が対応する前記第１のシグナリングメッセージの少なくとも一つのフィールドの情報と同じである旨を示すフラグを含んで、前記第３のシグナリングメッセージは前記第１のシグナリングメッセージよりも短いことが考慮される。
【０１２０】
さらに、前記第１のシグナリングメッセージ及び前記第２のシグナリングメッセージはそれぞれメッセージ識別フィールドをさらに含むことが考慮される。また、前記第１のシグナリングメッセージ及び前記第２のシグナリングメッセージの前記メッセージ識別フィールドは同じであることが考慮される。
【０１２１】
また、前記第１のシグナリングメッセージ及び前記第２のシグナリングメッセージの前記メッセージ識別フィールドは異なることが考慮される。また、前記処理部は、それぞれ少なくとも一つのフィールドを含む第１のシグナリングメッセージ及び第２のシグナリングメッセージを受信し、前記第２のシグナリングメッセージの少なくとも一つのフィールドが、前記第２のシグナリングメッセージの少なくとも一つのフィールドの値が対応する前記第１のシグナリングメッセージの少なくとも一つのフィールドの情報と同じである旨を示すフラグを含んでいるかどうかを判定し、前記第２のシグナリングメッセージの前記少なくとも一つのフィールドの値を前記対応する第１のシグナリングメッセージの少なくとも一つのフィールドの情報に設定することが考慮される。
【０１２２】
さらに、前記第２のシグナリングメッセージの前記少なくとも一つのフィールドが、前記第２のシグナリングメッセージの複数の連続連結されたフィールドの値が対応する前記第１のシグナリングメッセージの複数の連続連結されたフィールドの情報と同じである旨を示すフラグを含んでいるかどうかを判定し、前記第２のシグナリングメッセージの前記複数の連続連結されたフィールドの値を前記対応する第１のシグナリングメッセージの複数の連続連結されたフィールドの情報に設定することが考慮される。また、前記処理部は、少なくとも一つのフィールドを含むシグナリングメッセージを生成して送信し、前記少なくとも一つのフィールドは特定の特徴が活性化されるかどうかを示すフラグを含み、前記シグナリングメッセージは、前記フラグが前記特定の特徴が活性化されている旨を示す場合、前記特定の特徴と関連する少なくとも一つの追加フィールドを含み、前記フラグが前記特定の特徴が活性化されていない旨を示す場合、前記特定の特徴と関連する追加フィールドを含んでおらず、前記特定の特徴が活性化されていない場合に前記シグナリングメッセージがより短くなることが考慮される。また、前記処理部は、特定の特徴が活性化されるかどうかを示すフラグを含む少なくとも一つのフィールドを含むシグナリングメッセージを受信し、前記フラグが前記特徴が活性化されている旨を示す場合に前記メッセージから前記特定の特徴と関連する少なくとも一つの追加フィールドを抽出し、前記フラグが前記特徴が活性化されていない旨を示す場合に前記シグナリングメッセージから前記特定の特徴と関連する追加フィールドを抽出せず、前記特定の特徴が活性化されていない場合に前記シグナリングメッセージからより少ないフィールドが抽出されるようにすることが考慮される。
【０１２３】
本発明のさらなる特徴及び利点は以下の詳細な説明に開始され、その一部が詳細な説明から自明であるか、本発明の実施により学習されるであろう。本発明についてのこれまでの一般的な説明及び以下の詳細な説明はいずれも例示的でかつ説明的なものであり、特許請求の範囲において請求する本発明の理解を容易にするために提供されたものである。
【発明を実施するための最良の形態】
【０１２４】
添付図面を参照する以下の実施形態の詳細な説明から当業者にはこれら及びその他の実施形態が自明になり、本発明がこの明細書に開示された任意の実施例に制限されるものではない。
【０１２５】
本発明は頻繁に送信されるシグナリングメッセージのオーバーヘッドを低減するための方法及び装置に関する。本発明が移動端末及びアクセスネットワークに関して説明されるが、本発明は通信装置において頻繁に送信されるシグナリングメッセージのオーバーヘッドを低減することが要求されるならば、いつでも使用可能であろう。
【０１２６】
頻繁に送信されるシグナリングメッセージのオーバーヘッドを低減する方法の一つとしては、情報が変化されない場合、自体包含シグナリングメッセージまたはフルバージョンのシグナリングメッセージを送信する代わりに、軽量バージョンのシグナリングメッセージを送信することである。以前のフルバージョンまたは軽量バージョンのシグナリングメッセージに既に伝達された変化されない情報を省略することにより、軽量シグナリングメッセージのサイズが低減される。
【０１２７】
同じタイプのメッセージを受信機に伝達する順序は維持される。この明細書に使用されるように、「ＴＣＡメッセージ」とはフルバージョンシグナリングメッセージをいい、「ＴＣＡライトメッセージ」は軽量シグナリングメッセージを言う。ＴＣＡメッセージ及びＴＣＡライトメッセージはメッセージＩＤが同じメッセージであってもよいが、ＴＣＡライトメッセージはＴＣＡメッセージに既に伝達された情報の省略を示すフラグを有する。
【０１２８】
以前のメッセージにより伝達された情報を省略する軽量シグナリングメッセージを使用すると、受信機がメッセージを受信したと送信機が仮定するため、受信機が以前のシグナリングメッセージを見逃してしまう場合に問題が発生する。次のメッセージがフルバージョンのシグナリングメッセージである場合、問題が発生しない。しかしながら、次のメッセージが軽量シグナリングメッセージである場合、以前のシグナリングメッセージには表示されているものの、次の軽量シグナリングメッセージには存在しない情報を受信機が見逃す可能性がある。
【０１２９】
このため、見逃したメッセージを検出するメカニズムが提供される。見逃したメッセージを検出するために漸増的なメッセージ一連番号が使用されることがある。
【０１３０】
また、ＴＣＡメッセージまたはＴＣＡライトメッセージである第１のシグナリングメッセージに対してＴｒａｆｆｉｃＣｈａｎｎｅｌＣｏｍｐｌｅｔｅ（ＴＣＣ）などの受信確認を受信することなく、ＴＣＡライトメッセージが送信される場合に曖昧さが存在することがある。このような曖昧さは第１のシグナリングメッセージが存在しない場合にＴＣＡライトメッセージをどのように解釈するかをＡＴ２が知らないために発生するのである。
【０１３１】
例えば、第１のＴＣＡメッセージまたはＴＣＡライトメッセージに対するＴＣＣが受信される場合、問題がない。しなしながら、第１のＴＣＡメッセージまたはＴＣＡライトメッセージに対するＴＣＣが受信されなければ、ＡＴ２は第１のＴＣＡメッセージまたはＴＣＡライトメッセージをデコーディングすることなく、後続するＴＣＡライトメッセージを廃棄するはずである。
【０１３２】
以前のＴＣＡメッセージまたはＴＣＡライトメッセージに対するＴＣＣが受信される前であり、且つ、タイマーが活性化状態である間にＴＣＡライトメッセージが送信されなければならない場合、潜在的な曖昧さは２種類の方式により回避される。簡単なオプションは、フルバージョンのシグナリングメッセージを送信することである。やや複雑なオプションは、他の軽量シグナリングメッセージを送信することである。しかしながら、２つのシグナリングメッセージを互いに近くに送信する可能性は極めて少ないという点に注意を払う必要がある。
【０１３３】
第１のＴＣＡメッセージまたはＴＣＡライトメッセージに対する受信確認が未だ受信されていない場合、ＴＣＡライトメッセージの代わりにＴＣＡメッセージを送信することはＡＴ２に全体のシグナリング情報を提供する。ＴＣＡライトメッセージが送信されＴＣ完了（受信確認）が受信されていない場合、ＴＣＡライトメッセージは再び送信されても同じ一連番号にて送信される必要がある。
【０１３４】
頻繁に送信されるシグナリングメッセージのオーバーヘッドを低減するための他の方法としては、頻繁に使用されない特徴がシグナリングメッセージにより活性化されるかどうかを示すフラグを含むことである。特徴が活性化されていない場合、シグナリングメッセージから関連パラメータが省略可能である。
【０１３５】
頻繁に送信されるシグナリングメッセージのオーバーヘッドを低減するための他の方法としては、同じメッセージにある同一または類似するパラメータによりシグナリングメッセージのコンポーネントを繰り返して、１以上のフィールドの値が以前の繰り返しにおけるそれと同じである旨を示すフラグを使用することにより、同じ情報を省略可能にすることである。このようなアプローチャは、オーバーヘッドを低減するために、元のシグナリングメッセージだけではなく、軽量シグナリングメッセージにも適用可能であるという点に注目されたい。
【０１３６】
頻繁に送信されるシグナリングメッセージのオーバーヘッドを低減するためのさらに他の方法としては、ＴＣＡライトメッセージを用いて従来のＴＣＡメッセージに送信される情報を伝達することである。このような方式においては、現在のＴＣＡメッセージを代替するために、または、追加的なＴＣＡメッセージとしてＴＣＡライトメッセージが使用されることがある。
【０１３７】
頻繁に送信されるシグナリングメッセージのオーバーヘッドを低減するためのさらに他の方法としては、以前に送信されたシグナリングメッセージに対して新規なシグナリングメッセージが比較される差分アプローチがある。２つのシグナリングメッセージ間差分が送信され、ＡＴ２は以前に受信されたシグナリングメッセージに基づいて新規なシグナリングメッセージを再構成することができる。
【０１３８】
頻繁に送信されるシグナリングメッセージのオーバーヘッドを低減するためのさらに他の方法としては、フルＴＣＡメッセージの特定の部分を送信するのに使用可能な新規な別途のシグナリングメッセージ、すなわち、「ＴＣＡＳｐｅｃｉａｌｘ」メッセージを生成することである。「ｘ」は他のＴＣＡ特別メッセージを指し示すのに使用される。例えば、ＴＣＡ特別メッセージはアクティブセット管理に関連するパラメータだけを送信するように設計可能である。代案的に、特別フラグを有するＴＣＡライトメッセージが使用されて別途のメッセージを生成することなくＴＣＡ特別メッセージを実現することもできる。
【０１３９】
ネットワークは周期的にフルバージョンＴＣＡメッセージを送信してＡＴ２に正確な値を持たせる。このような方式においては、この明細書に開示のあらゆる方法に対して追加的なセキュリティ性を提供することになる。
【０１４０】
図１４Ａから図１４Ｃは、軽量ＴｒａｆｆｉｃＣｈａｎｎｅｌＡｓｓｉｇｎｍｅｎｔ（ＴＣＡ）、すなわち、ＴＣＡライトメッセージを示している。ＴＣＡライトメッセージは、図１４Ａに示す全てのフィールドを含む。また、各ＴＣＡライトメッセージはＤＳＣＩｎｃｌｕｄｅｄフィールドとＤＳＣフィールドの「Ｎ」個発生を含むが、ここで、「Ｎ」はＳｅｃｔｏｒＩｎｆｏｒｍａｔｉｏｎフィールドの「ＮｕｍＳｅｃｔｏｒｓ」発生において「０」に設定されるＳｏｆｔｅｒＨａｎｄｏｆｆフィールドの数である。図１５Ａから図１５Ｃは、本発明の他の実施形態による軽量ＴｒａｆｆｉｃＣｈａｎｎｅｌＡｓｓｉｇｎｍｅｎｔ（ＴＣＡ）、または、ＴＣＡライトメッセージを示している。
【０１４１】
ＴＣＡライトメッセージはフルＴＣＡメッセージに対する代替物として使用可能であり、専ら１種類のフォーマット、１種類のメッセージＩＤだけが存在する。代案的に、ＴＣＡメッセージは他のメッセージＩＤとして別途に定義され、ＴＣＡライトメッセージにおける余分のフラグがフルバージョンＴＣＡメッセージには存在しないことがある。
【０１４２】
ＴＣＡライトメッセージは、ＮｕｍＳｅｃｔｏｒフィールドによって繰り返され、図１４Ｂに示すＳｅｃｔｏｒＩｎｆｏｒｍａｔｉｏｎレコードをさらに含んで、ＳｅｃｔｏｒＩｎｆｏｒｍａｔｉｏｎレコードが「ＮｕｍＳｅｃｔｏｒｓ」個発生する。また、ＴＣＡライトメッセージはＮｕｎＦｏｒｗａｒｄＣｈａｎｎｅｌｓによって繰り返され、図１４Ｃに示すＡｃｔｉｖｅＳｅｔＰａｒａｍｅｔｅｒｓレコードを含んで、ＡｃｔｉｖｅＳｅｔＰａｒａｍｅｔｅｒｓレコードが「ＮｕｍＦｏｒｗａｒｄＣｈａｎｎｅｌｓ」個発生する。
【０１４３】
ＴＣＡライトメッセージはフルバージョンＴＣＡメッセージと同じであるか、または、これとは異なるＭｅｓｓａｇｅＩｄフィールドを有する。ＴＣＡライトメッセージが正規ＴＣＡメッセージと区別できるように他のＭｅｓｓａｇｅＩｄフィールドを有する場合、正規ＴＣＡメッセージとＭｅｓｓａｇｅＳｅｑｕｅｎｃｅ空間を共有する。このため、後続ＴＣＡまたはＴＣＡライトメッセージにおけるＭｅｓｓａｇｅＳｅｑｕｅｎｃｅの値はＴＣＡまたはＴＣＡライトメッセージのうちいずれかである以前のメッセージの値から漸増する。
【０１４４】
ＡｃｔｉｖｅＳｅｔＰａｒａｍｅｔｅｓレコードは、図１４Ｃに示すように、ＭＡＣＩｎｄｅｘを通じてＡｓｓｉｇｎｅｄＣｈａｎｎｅｌからの全てのフィールドを含む。ＡｃｔｉｖｅＳｅｔＰａｒａｍｅｔｅｒｓレコードの一部のフィールドはＴＣＡライトメッセージの他のフィールドの値によって繰り返される。ＡｃｉｔｖｅＳｅｔＰａｒａｍｅｔｅｒｓレコードの「ＮｕｍＦｏｒｗａｒｄＣｈａｎｎｅｌｓ」個発生のそれぞれはＭａｃＩｎｄｅｘフィールドを通じてのＳｅｃｔｏｒＣｏｎｆｉｇｕｒａｔｉｏｎＩｎｃｌｕｄｅｄの「ＮｕｍＳｅｃｔｏｒｓ」個発生を含む。
【０１４５】
Ｎｅｘｔ２ＦｉｅｌｄＩｎｃｌｕｄｅｄが「０」であれば、ＤＳＣＣｈａｎｎｅｌＧａｉｎ及びＦｒａｍＯｆｆｓｅｔ値は省略される。Ｎｅｘｔ２ＦｉｅｌｄＩｎｃｌｕｄｅｄを「０」に設定するということは、その値が以前のメッセージにおけるものと同じである旨を示す。
【０１４６】
Ｎｅｘｔ３ＦｉｅｌｄＩｎｃｌｕｄｅｄが「０」であれば、ＳｏｆｔＨａｎｄｏｆｆ値を通じてのＲＡＣｈａｎｎｅｌＧａｉｎが省略される。Ｎｅｘｔ３ＦｉｅｌｄＩｎｃｌｕｄｅｄを「０」に設定するということは、ＰｉｌｏｔＰＮが同じセクターに対してその値が以前のメッセージにおけるものと同じである旨を示す。
【０１４７】
ＤＳＣＩｎｃｌｕｄｅｄが「０」であれば、ＤＳＣ値が省略される。ＤＳＣＩｎｃｌｕｄｅｄを「０」に設定するということは、同じセルに対してその値が以前のメッセージにおけるものと同じである旨を示す。
【０１４８】
ＣｈａｎｎｅｌＣｏｎｆｉｇｕｒａｔｉｏｎＩｎｃｌｕｄｅｄが「０」であれば、ＣｈａｎｎｅｌＣｏｎｆｉｇｕｒａｔｉｏｎＩｎｃｌｕｄｅｄ及びＲｅｖｅｒｓｅＣｈａｎｎｅｌフィールド間の全てのフィールドが省略される。ＣｈａｎｎｅｌＣｏｎｆｉｇｕｒａｔｉｏｎＩｎｃｌｕｄｅｄを「０」に設定するということは、搬送波の構成が以前のメッセージにおいて特定されたものと同じである旨を示す。
【０１４９】
ＲｅｖｅｒｓｅＣｈａｎｎｅｌＤｒｏｐｐｉｎｇＲａｎｋＩｎｃｌｕｄｅｄが「０」であれば、搬送波に対するＲｅｖｅｒｓｅＣｈａｎｎｅｌＤｒｏｐｐｉｎｇＲａｎｋＩｎｃｌｕｄｅｄは以前のメッセージにおいて特定されたものと同じである。また、特定の順方向リンク搬送波に対して逆方向リンクが存在しない場合、ＲｅｖｅｒｓｅＣｈａｎｎｅｌＤｒｏｐｐｉｎｇＲａｎｋＩｎｃｌｕｄｅｄは含まれない。
【０１５０】
ＳｅｃｔｏｒＣｏｎｆｉｇｕｒａｔｉｏｎＩｎｃｌｕｄｅｄが「０」である場合、特定の搬送波のセクターに後続する全てのフィールドは省略される。ＳｅｃｔｏｒＣｏｎｆｉｇｕｒａｔｉｏｎＩｎｃｌｕｄｅｄを「０」に設定するということは、フィールドの値が以前のメッセージにおいて特定されたものと同じである旨を示す。
【０１５１】
ＳｙｍｍｅｔｒｉｃＦｅｅｄｂａｃｋＲｅｖｅｒｓｅＣｈａｎｎｅｌが「１」に設定されると、ＦｅｅｄｂａｃｋＭｕｌｔｉｐｌｅｘｉｎｇＩｎｄｅｘ、ＦｅｅｄｂａｃｋＲｅｖｅｒｓｅＣｈａｎｎｅｌＩｎｄｅｘ、ＲｅｖｅｒｓｅＣｈａｎｎｅｌＣｏｎｆｉｇｕｒａｔｉｏｎ及びＲｅｖｅｒｓｅＣｈａｎｎｅｌフィールドが省略される。ＳｙｍｍｅｔｒｉｃＦｅｅｄｂａｃｋＲｅｖｅｒｓｅＣｈａｎｎｅｌを「１」に設定するということは、フィードバックマルチプレクシングがないはずであり、フィードバックは常に一対の逆方向リンク上において搬送される筈である旨を示す。
【０１５２】
ＳｙｍｍｅｔｒｉｃＦｅｅｄｂａｃｋＲｅｖｅｒｓｅＣｈａｎｎｅｌが「０」に設定されると、ＣａｎｎｅｌＣｏｎｆｉｇｕｒａｔｉｏｎＩｎｃｌｕｄｅｄはＲｅｖｅｒｓｅＣｈａｎｎｅｌフィールドを通じてのＦｅｅｄｂａｃｋＭｕｌｔｉｐｌｅｘｉｎｇＩｎｄｅｘが含まれるかどうかを示す。ＣｏｎｆｉｇｕｒａｔｉｏｎｓａｍｅａｓＰｒｅｖＣｈａｎｎｅｌフィールドが存在する場合、その値はＲｅｖｅｒｓｅＣｈａｎｎｅｌＣｏｎｆｉｇｕｒａｔｉｏｎフィールドまでの全ての後続フィールドが含まれるかどうかを示す。
【０１５３】
ＭｕｌｔｉｐｌｅＤＳＣが「１」であれば、ＤＳＣＳａｍｅＡｓＴｈｉｓＦｏｒｗａｒｄＣｈａｎｎｅｌフィールドは省略される。ＭｕｔｌｉｐｅＤＳＣを「１」に設定するということは、そのフィールドの値が以前のメッセージにおいて特定されたものと同じである旨を示す。
【０１５４】
ＣｏｎｆｉｇｕｒａｔｉｏｎｓａｍｅａｓＰｒｅｖＣｈａｎｎｅｌが「１」であれば、、ＲｅｖｅｒｓｅＣｈａｎｎｅｌＣｏｎｆｉｇｕｒａｔｉｏｎを通じてのＤＳＣＳａｍｅＡｓＴｈｉｓＦｏｒｗａｒＣｈａｎｎｅｌからの全ての後続フィールドが、包括的に省略される。ＣｏｎｆｉｇｕｒａｔｉｏｎｓａｍｅａｓＰｒｅｖＣｈａｎｎｅｌを「１」に設定するということは、以前に繰り返されていた搬送波において特定されたものと同じ搬送波構成が使用されるという旨を示す。
【０１５５】
図１６は、本発明の一実施形態による移動局（ＭＳ）またはアクセス端末１００のブロック図である。ＡＴ１００はプロセッサー（または、デジタル信号プロセッサー）１００、ＲＦモジュール１３５、電力管理モジュール１０５、アンテナ１４０、バッテリ１５５、ディスプレイ１１５、キーパッド１２０、メモリー１３０、ＳＩＭカード１２５（省略可能）、スピーカー１４５及びマイクロホン１５０を備える。
【０１５６】
ユーザーは、例えば、キーパッド１２０のボタンを押下するか、あるいは、マイクロホン１５０を用いた音声活性化により電話番号などの命令型情報を入力する。マイクロプロセッサー１１０は、このような命令型情報を受信して処理し、電話番号をダイアリングするなどの適切な機能を行う。このような機能を行うための運用データは、加入者身元モジュール（ＳＩＭ）カード１２５またはメモリーモジュール１３０から復元される。また、プロセッサー１１０はユーザーの参照及び便宜のためにこのような命令型情報及び操作型情報をディスプレイ１１５に表示することができる。
【０１５７】
プロセッサー１１０は、ＲＦモジュール１３５に命令型情報を伝送して、例えば、音声通信データを含む無線信号を伝送するなど、通信を開始する。ＲＦモジュール１３５は、無線信号を受信して送信するための受信機と送信機を備える。アンテナ１４０は、無線信号の送信及び受信を促す。無線信号を受信すると、ＲＦモジュール１３５は無線信号を伝達してプロセッサー１１０による処理のために基底帯域周波数に変換する。処理された信号は、例えば、スピーカー１４５を介して出力される聞取り可能または読取可能な情報に変換される。なお、プロセッサー１１０は、この明細書にＣＤＭＡ２０００または１ｘＥＶ＿ＤＯシステムに関して説明された様々なプロセスを行うために必要となるプロトコルと機能を含む。
【０１５８】
プロセッサー１１０は、シグナリングメッセージにおけるオーバーヘッドを低減するために、この明細書に開示の方法を行うように適応される。プロセッサーは、図１４Ａから図１４Ｃに示すように、ＴＣＡ及びＴＣＡライトメッセージを生成し、ＲＦモジュール１３５がこのメッセージを受信して処理し、受信確認メッセージを送信するように制御する。
【産業上の利用可能性】
【０１５９】
以上、本発明がＣＤＭＡ２０００、１ｘＥＶ＿ＤＯ及びＣＤＭＡ２０００ＮｘＥＶ＿ＤＯを参照して開示されているが、他の応用通信システムにも適用可能である。
【０１６０】
本発明はその思想または本質的な特徴から逸脱することなく、種々の形態により実現可能であることから、上述した実施形態は、特に断わりのない限り、上述した詳細な事項により制限されるものではなく、特許請求の範囲に定義される思想及び範囲内において広範に考慮されなければならないものであり、よって、本願特許請求の範囲またはその等価物内におけるあらゆる変形及び変更は本願特許請求の範囲に含まれるものであると考慮されるという点に注意を払わなければならない。
【０１６１】
これまでの実施形態及び利点などは単なる例示的なものであって、本発明を制限するものであると考慮されるものではない。本発明の教示事項は種々の装置に適用可能である。本発明の説明は例示的なものであり、本願特許請求の範囲の範囲を制限するものではない。当業者にとっては種々の代案、変形及び変更が自明であろう。特許請求の範囲において、「機能的な記載」の構文は引用された機能を行うものであると説明される構造及び構造的な等価物だけではなく、等価的な構造をカバーするためのものである。
【図面の簡単な説明】
【０１６２】
本発明への理解を容易にするために添付されてこの明細書の一部を構成する添付図面は本発明の実施形態を示すものであって、この明細書と共に本発明の原理を説明するものである。異なる図面において同じ参照符号として参照される本発明の特徴、構成要素及び態様などは１以上の実施形態による同一または等価または類似する特徴、構成要素または態様を示すものである。
【図１】無線ネットワークアーキテクチャーを示す図である。
【図２Ａ】ＣＤＭＡ拡散及び逆拡散プロセスを示す図である。
【図２Ｂ】多数の拡散シーケンスを使用するＣＤＭＡ拡散及び逆拡散プロセスを示す図である。
【図３】ＣＤＭＡ２０００無線ネットワークに対するデータリンクプロトコルアーキテクチャーレイヤーを示す図である。
【図４】ＣＤＭＡ２０００の呼出処理を示す図である。
【図５】ＣＤＭＡ２０００の初期化状態を示す図である。
【図６】ＣＤＭＡ２０００システムへのアクセス状態を示す図である。
【図７】ＣＤＭＡ２０００の移動トラフィックチャンネル状態を示す図である。
【図８】１ｘ及び１ｘＥＶ−ＤＯに対するＣＤＭＡ２０００の比較を示す図である。
【図９】１ｘＥＶ−ＤＯ無線ネットワークに対するネットワークアーキテクチャーレイヤーを示す図である。
【図１０】１ｘＥＶ−ＤＯデフォルトプロトコルアーキテクチャーを示す図である。
【図１１】１ｘＥＶ−ＤＯノンデフォルトプロトコルアーキテクチャーを示す図である。
【図１２】１ｘＥＶ−ＤＯセッション確立を示す図である。
【図１３】１ｘＥＶ−ＤＯ接続レイヤープロトコルを示す図である。
【図１４Ａ】ＡからＣは、本発明の一実施形態によるＴＣＡメッセージを示す図である。
【図１４Ｂ】ＡからＣは、本発明の一実施形態によるＴＣＡメッセージを示す図である。
【図１４Ｃ】ＡからＣは、本発明の一実施形態によるＴＣＡメッセージを示す図である。
【図１５Ａ】ＡからＣは、本発明の他の実施形態によるＴＣＡメッセージを示す図である。
【図１５Ｂ】ＡからＣは、本発明の他の実施形態によるＴＣＡメッセージを示す図である。
【図１５Ｃ】ＡからＣは、本発明の他の実施形態によるＴＣＡメッセージを示す図である。
【図１６】移動局またはアクセス端末のブロック図である。
【図１】
2009515414.tif 000003
【図２Ａ】
2009515414.tif 000004
【図２Ｂ】
2009515414.tif 000005
【図３】
2009515414.tif 000006
【図４】
2009515414.tif 000007
【図５】
2009515414.tif 000008
【図６】
2009515414.tif 000009
【図７】
2009515414.tif 000010
【図８】
2009515414.tif 000011
【図９】
2009515414.tif 000012
【図１０】
2009515414.tif 000013
【図１１】
2009515414.tif 000014
【図１２】
2009515414.tif 000015
【図１３】
2009515414.tif 000016
【図１４Ａ】
2009515414.tif 000017
【図１４Ｂ】
2009515414.tif 000018
【図１４Ｃ】
2009515414.tif 000019
【図１５Ａ】
2009515414.tif 000020
【図１５Ｂ】
2009515414.tif 000021
【図１５Ｃ】
2009515414.tif 000022
【図１６】
2009515414.tif 000023
【国際調査報告】
2009515414.tif 000024
2009515414.tif 000025
2009515414.tif 000026
2009515414.tif 000027
2009515414.tif 000028